(57)【要約】【課題】単一のセンサを使って流量を制御できるフロー制御装置を提供すること。【解決手段】制御装置（３０）は、フローを受け入れるための流入口（３２）；フローをフロー・システムの他の構成要素に導くための流出口（３４）；圧力低減エレメント（３６）；上流の圧力を測定するよう構成された、圧力低減エレメント（３６）の上流の圧力センサ（３８）；下流の圧力を測定するよう構成された、圧力低減エレメント（３６）の下流の圧力センサ（４０）；プロセッサ、メモリ、及び流体の流量を算定しバルブ制御信号を発生させるためのソフトウエア命令を包含させることが可能なコントローラ（４２）；ならびに、バルブ制御信号に反応して流体フローを調節する、ちょう型バルブ、油圧駆動バルブなどのバルブ（４４）を含む。【選択図】図１
2010176707.tif 000002
【特許請求の範囲】
【請求項１】
少なくとも一つのコンピュータ読み取り可能な媒体に格納された一組のコンピュータ命令を含むコンピュータプログラム製品であって、
前記一組のコンピュータ命令は、
センサから圧力測定値を受信することと、
前記圧力測定値の変動をモニタリングすることと、
前記変動を所定の限度と比較することと、
前記変動が前記所定の限度より大きい場合には、警報を生成することと
を行うように少なくとも一つのプロセッサによって実行可能である、コンピュータプログラム製品。
【請求項２】
前記センサは、圧力低減エレメントの下流のセンサである、請求項１に記載のコンピュータプログラム製品。
【請求項３】
前記センサは、バルブの下流のセンサである、請求項１に記載のコンピュータプログラム製品。
【請求項４】
少なくとも一つのコンピュータ読み取り可能な媒体に格納された一組のコンピュータ命令を含むコンピュータプログラム製品であって、
前記一組のコンピュータ命令は、
圧力低減エレメントの上流に配置された上流センサから上流圧力を受信することと、
前記圧力低減エレメントの下流から下流圧力測定値を受信することと、
バルブのバルブ位置をモニタリングすることと、
前記複数の測定圧力の間の較差を決定することと、
前記複数の測定圧力の間の較差と、前記バルブ位置と、バルブ設定能とに基づいて、制御設定能を決定することと
を行うように少なくとも一つのプロセッサによって実行可能である、コンピュータプログラム製品。
【請求項５】
前記一組のコンピュータ命令は、
前記制御設定能が容認可能かどうかを決定することと、
前記制御設定能が容認できない場合には、前記バルブ位置をより大きい較差を生成するであろう新しい位置に変更することを前記バルブに行わせる信号を生成することと、
新しい上流圧力を受信することと、
新しい下流圧力を受信することと、
前記新しい上流圧力及び前記新しい下流圧力に基づいて、前記より大きい較差を決定することと、
前記より大きい較差と、前記新しいバルブ位置と、前記バルブ設定能とに基づいて、新しい制御設定能を決定することと
をさらに実行可能である、請求項４に記載のコンピュータプログラム製品。
【請求項６】
前記一組のコンピュータ命令は、
前記制御設定能が容認可能かどうかを決定することと、
前記制御設定能が容認可能な場合には、前記較差を較差圧力閾値として選択することと
をさらに実行可能である、請求項４に記載のコンピュータプログラム製品。
【請求項７】
前記コンピュータ命令は、後で得られる較差と前記較差圧力閾値との比較に基づいて、第一作動モードと第二作動モードとを切り替えるようにさらに実行可能である、請求項４に記載のコンピュータプログラム製品。
【請求項８】
前記一組のコンピュータ命令は、前記制御設定能を決定することをさらに実行可能であり、
前記制御設定能を決定することは、
フルスケール圧力のパーセンテージとしての較差に、生成のために前記バルブをどの程度開くかのパーセンテージとしての前記バルブ位置を乗算することと、
前記バルブ設定能を乗算することと
によって行われる、請求項４に記載のコンピュータプログラム製品。
【請求項９】
センサから圧力測定値を受信することと、
前記圧力測定値の変動をモニタリングすることと、
前記変動を所定の限度と比較することと、
前記変動が前記所定の限度より大きい場合には、警報を生成することと
を含む、方法。
【請求項１０】
前記センサは、圧力低減エレメントの下流のセンサである、請求項９に記載の方法。
【請求項１１】
前記センサは、バルブの下流のセンサである、請求項９に記載の方法。
【請求項１２】
フロー制御装置であって、
流入口と、
前記流入口と流体連通している流出口と、
前記フロー制御装置を通って流れる流体の圧力を測定する第一圧力センサと、
前記圧力センサに結合されたコントローラであって、前記コントローラは、単一の圧力センサにおいて測定した圧力に基づいてバルブ制御信号を生成するように構成されており、前記単一の圧力センサは、前記第一圧力センサである、コントローラと
を含む、フロー制御装置。
【請求項１３】
前記流入口と前記流出口との間に配置され、前記コントローラに結合された、前記バルブ制御信号に応答するバルブをさらに含む、請求項１２に記載のフロー制御装置。
【請求項１４】
前記第一圧力センサは、前記バルブの上流に配置されている、請求項１３に記載のフロー制御装置。
【請求項１５】
前記第一圧力センサは、前記バルブの下流に配置されている、請求項１３に記載のフロー制御装置。
【請求項１６】
前記コントローラは、
前記第一センサから圧力測定値を受信することと、
前記圧力測定値の変動をモニタリングすることと、
前記変動を所定の限度と比較することと、
前記変動が前記所定限度より大きい場合には、警報を生成することと
を行うようにさらに動作可能である、請求項１２に記載のフロー制御装置。
【請求項１７】
前記コントローラは、
バルブのバルブ位置の変化をモニタリングすることと、
前記バルブ位置の変化が所定の量よりも大きい場合には、警報を生成することと
を行うようにさらに動作可能である、請求項１２に記載のフロー制御装置。
【請求項１８】
フロー制御装置を通るフローを単一の圧力センサからの測定値に基づいて調節するためのコンピュータプログラム製品であって、前記コンピュータプログラム製品は、少なくとも一つのコンピュータ読み取り可能な媒体に格納され、少なくとも一つのプロセッサによって実行可能な一組のコンピュータ命令を含み、
前記一組のコンピュータ命令は、
第一圧力センサからの圧力測定値を受信することと、
前記第一圧力センサからの前記圧力測定値と一組の校正パラメータとに基づいて流量を計算することと、
前記流量を設定点と比較することと、
前記計算された流量と設定点との較差に基づいてバルブ制御信号を生成することと
を行うように実行可能である、コンピュータプログラム製品。
【請求項１９】
前記校正パラメータは、インサイチュ校正パラメータを含む、請求項１８に記載のコンピュータプログラム製品。
【請求項２０】
前記一組のコンピュータ命令は、
圧力測定値の変動をモニタリングすることと、
前記変動を所定の限度と比較することと、
前記変動が前記所定限度より大きい場合には、警報を生成することと
を実行可能な命令をさらに含む、請求項１８に記載のコンピュータプログラム製品。
【請求項２１】
前記モニタリングされる圧力測定値は、前記第一センサによって生成される、請求項２０に記載のコンピュータプログラム製品。
【請求項２２】
前記モニタリングされる圧力測定値は、別の圧力センサによって生成される、請求項２１に記載のコンピュータプログラム製品。
【請求項２３】
前記一組のコンピュータ命令は、
バルブのバルブ位置の変化をモニタリングすることと、
前記バルブ位置の変化が所定の量よりも大きい場合には、警報を生成することと
を実行可能な命令をさらに含む、請求項１８に記載のコンピュータプログラム製品。
【請求項２４】
フロー制御装置を通るフローを単一の圧力センサからの測定値に基づいて調節するための方法であって、前記方法は、
第一圧力センサにおいて圧力を測定することと、
前記第一圧力センサからの圧力測定値及び一組の校正パラメータに基づいて流量を計算することと、
前記流量を設定点と比較することと、
前記計算された流量と設定点との差分に基づいてバルブ制御信号を生成することと
を含む、方法。
【請求項２５】
インサイチュ校正を実施することによって前記校正パラメータを生成することをさらに含む、請求項２４に記載の方法。
【請求項２６】
圧力測定値の変動をモニタリングすることと、
前記変動を所定の限度と比較することと、
前記変動が前記所定限度より大きい場合には、警報を生成することと
をさらに含む、請求項２４に記載の方法。
【請求項２７】
前記モニタリングされる圧力測定値は、前記第一センサによって生成される、請求項２６に記載の方法。
【請求項２８】
前記モニタリングされる圧力測定値は、別の圧力センサによって生成される、請求項２６に記載の方法。
【請求項２９】
バルブのバルブ位置の変化をモニタリングすることと、
前記バルブ位置の変化が所定の量よりも大きい場合には、警報を生成することと
をさらに含む、請求項２４に記載の方法。
【発明の詳細な説明】
【技術分野】
【０００１】
（関連出願）
本出願は、Ｂｒｏｄｅｕｒらのタイトルが「Ｓｙｓｔｅｍ  ａｎｄ  Ｍｅｔｈｏｄ  ｆｏｒ  Ｆｌｏｗ  Ｍｏｎｉｔｏｒｉｎｇ  ａｎｄ  Ｃｏｎｔｒｏｌ」の米国特許出願第１０／７７７，３００号（２００４年２月１２日出願）の一部継続出願であり、該出願の米国特許法第１２０条の優先権の利益を主張する。本明細書では、該出願の全体を援用する。
【０００２】
（発明の背景）
本発明の実施形態は、一般に流量のモニタリング及び制御の分野に関し、さらに具体的には、ある流量範囲のフローのモニタリング及び／又は制御に関する。
【背景技術】
【０００３】
半導体製造において、基板サブストレート上に正確な回路を製作するためには製造ツールを通る流体フローを厳密に制御することが重要である。現行の半導体製造システムにおいては流体フローを制御するために、質量流量計がシステム中の流体の流量を測定し、流量を調整する必要がある場合には、質量流量コントローラがそれに応じてバルブを開閉する。熱式質量流量計は普及しつつはあるが、多くの現行システムは、差圧式質量流量計に依存している。差圧式質量流量計においては、２つの圧力センサが、絞り部での圧力低下を読み取る。絞り部は圧力低減エレメントとして機能し、よく知られた流体対力学の原則に基づいてガス流量を計算するための公知の部位を有している。計算されたガス流量を用いて、質量流量コントローラは、バルブを調整して流量を増加又は低下させることができる。
【０００４】
絞り部の圧力差に依存する従来技術のシステムは、通常、動作範囲に限界がある。さらに具体的には、動作範囲は低い流量において限界がある、というのは、２つのセンサの間の圧力較差（ｄｉｆｆｅｒｅｎｔｉａｌ）が小さすぎて、システム・ノイズと判別ができないからである。このため、例えば、たとえ流量コントローラが物理的に秒あたり０−１００ｍＬの流量幅でフローを制御する能力を持つとしても、コントローラは、秒あたり２０−１００ｍＬの流量幅でしか、精度よくフローを制御することができない、というのは、秒あたり２０ｍＬより下では、２つの圧力センサからの圧力の較差が判別できないからである。
【０００５】
動作範囲をより低い流量に拡大するために、従来型のシステムの一部では、より小さな断面積を持つ絞り部を用い、感知される圧力較差を大きくしている。これによって、フローメーターはより低い流量を検知することはできるが、より狭い絞り部によって所定の流体供給圧力に対するメーターの最大フロー容量が低下し、多くの場合不十分な対処策となる。
【発明の概要】
【課題を解決するための手段】
【０００６】
本発明の実施形態は、従来開発された流量モニタリングと制御のシステム及び方法との不都合点を低減した流量モニタリングと制御のシステム及び方法とを提供する。さらに具体的には、本発明の実施形態は、単一のセンサを使って流量を制御できるフロー制御装置を提供する。作動の一つのモードにおいて、フロー制御装置は、複数の圧力センサからの圧力測定値から判定された較差に基づいて流量を制御することができる。例えば、フロー制御装置は、圧力低減エレメントの上流の圧力センサからの測定値と圧力低減エレメント
の下流の圧力センサからの測定値との間の較差に基づいて流量を制御することができる。作動の別のモードにおいて、フロー制御装置は、下流の圧力センサのような、特定の圧力センサが感知した圧力に基づいて流量を制御することができる。フロー制御装置は、所定のポイントにおいて、自動的に作動モードの間での切り替えをすることができる。本発明の一つの実施形態において、所定ポイントを、特定の圧力較差とすることができる。本発明の別の実施形態は、単一のセンサによる圧力測定値だけに基づいて流量を制御するシステムを提供する。
【０００７】
また、本発明の実施形態に、フロー制御装置自体の再校正が必要な可能性のある変化が生じたことを判定できるフロー制御装置を含めることができる。本発明の一つの実施形態において、コントローラは、圧力センサ（例、下流の圧力センサ）の変動をモニターすることができる。変動が所定量を超えた場合、コントローラは、流量装置を再構成しなければならない可能性を示す警報を発信することができる。
【０００８】
本発明の一つの実施形態に、流入口と、流入口と流体連通している流出口と、流入口と流出口との間にあって流入口及び流出口に流体連通している圧力低減エレメントと、圧力低減エレメントの上流に配置され、フロー制御装置を流通する流体の第一圧力を測定するよう構成された圧力センサと、圧力低減エレメントの下流に配置され、フロー制御装置を流れ通る流体の第二圧力を測定するよう構成された圧力センサと、第一圧力センサ及び第二圧力センサと結合され、バルブ駆動信号生成するコントローラとを包含するフロー制御装置を含めることができる。コントローラは、作動の第一モードにおいては、第一圧力と第二圧力との間の較差に基づいてバルブ制御信号を発生させることができる。また、コントローラは、作動の第二モードにおいては、特定の圧力センサによって測定された圧力に基づいてバルブ制御信号を発生させることができる。あらかじめ設定したパラメータ（例、プリセット較差、センサの一つのプリセット圧力、特定センサの読み取り値の変動、又は他のパラメータ）に基づいて、作動モードを自動的に切り替えることができる。
【０００９】
本発明の別の実施形態に、下記の工程のため、少なくとも一つのコンピュータ可読媒体に格納され、少なくとも一つのプロセッサが実行可能な、コンピュータ命令のセットを包含するコンピュータプログラム製品を含めることができる：第一圧力の測定値を受信する工程；第二圧力の測定値を受信する工程；第一作動モードによって動作する工程、この工程では、コンピュータ命令は、第一圧力と第二圧力との間の較差に基づいて流量を計算するように実行される；第二作動モードによって動作する工程、この工程では、コンピュータ命令は、特定の圧力センサが測定した圧力に基づいて流量を計算するように実行される；及び所定のパラメータに基づいて第一作動モードと第二作動モードとの間での切り替えを行う工程。
【００１０】
本発明のさらなる別の実施形態に下記の工程を含めることができる：第一圧力の測定工程；第二圧力の測定工程；第一作動モードにおいて、第一圧力と第二圧力との間の較差に基づいてバルブ制御信号を発生させる工程；第二作動モードにおいて、特定の圧力センサが測定した圧力に基づいてバルブ制御信号を発生させる工程；及び、所定のパラメータに従って第一作動モードと第二作動モードとの間での切り替える工程。
【００１１】
本発明のさらなる別の実施形態に、センサからの圧力測定値を受信し、圧力測定値の変動をモニターし、変動を所定限度と比較し、変動が所定限度より大きい場合には警報を発信するための、実行可能なコンピュータ命令のセットを含めることができる。
【００１２】
本発明のさらなる別の実施形態に、圧力低減エレメントの上流に配置された上流センサからの上流圧力を受信し、圧力低減エレメントの下流に配置された下流センサからの下流圧力を受信し、バルブのバルブ位置をモニターし、測定された圧力の間の較差を判定し、
測定された圧力の間の較差に基づいて、制御設定能、バルブ位置及びバルブ微調整を行うための、実行可能なコンピュータ命令のセットを含めることができる。
【００１３】
本発明のさらなる別の実施形態に、以下の工程を包含するフロー・モニタリングの方法を含めることができる：第一圧力を測定し第二圧力を測定する工程；第一作動モードにおいて、第一圧力と第二圧力との間の較差に基づいて流量を算定する工程；第二作動モードにおいて、特定の圧力センサが測定した圧力に基づいて流量を算定する工程；及び、所定のパラメータに基づいて第一作動モードと第二作動モードとの間での切り替えを行う工程。
【００１４】
本発明のさらなる別の実施形態に、下記の工程のため、少なくとも一つのコンピュータ可読媒体に格納され、少なくとも一つのプロセッサが実行可能なコンピュータ命令のセットを包含するコンピュータプログラム製品を含めることができる：第一圧力の測定値を受信する工程；第二圧力の測定値を受信する工程；第一作動モードによって動作する工程、この工程では、コンピュータ命令は、第一圧力と第二圧力との間の較差に基づいてバルブ制御信号を発生させるように実行される；第二作動モードによって動作する工程、この工程では、コンピュータ命令は、特定の圧力センサが測定した圧力に基づいてバルブ制御信号ように実行される；及び、所定のパラメータに基づいて第一作動モードと第二作動モードとの間での切り替えを行う工程。
【００１５】
本発明のさらなる別の実施形態に、流入口と、流入口と流体連通している流出口と、第一圧力センサ、このセンサを流体制御装置の唯一の圧力センサとすることができる、と、圧力センサに結合されたコントローラとを包含したフロー制御装置を含めることができる。コントローラを、単一の圧力センサ（すなわち、流体制御装置の第一圧力センサ）が測定した圧力に基づいてバルブ制御信号を発生させるように構成することができる。
【００１６】
本発明の別の実施形態に、単一の圧力センサからの測定値に基づいて、フロー制御装置を通るフローを調節する方法を含めることができ、方法には、第一圧力センサで圧力を測定する工程と、第一圧力センサからの圧力測定値と校正パラメータのセットとに基づいて流量を計算する工程と、流量を設定ポイントと対比する工程と、計算流量と設定ポイントとの間の差に基づいてバルブ制御信号を発生させる工程とを含めることができる。
【００１７】
本発明のさらなる別の実施形態に、下記の工程を実行する命令を有するコンピュータ命令のセットを包含するコンピュータプログラム製品を含めることができる：第一圧力センサから圧力測定値を受信する工程、第一圧力センサからの測定値と校正パラメータのセットとに基づいて流量を計算する工程、流量を設定ポイント対比する工程、及び、計算流量と設定ポイントとの間の差に基づいてバルブ制御信号を発生させる工程。
【００１８】
本発明の実施形態は、より幅広い流量制御の範囲を提供して、従来技術によるフロー制御装置を超える利点を提供する。
【００１９】
本発明の実施形態は、低流量域での流量測定においてより高い精度を提供して、従来技術によるフロー制御装置を超える別の利点を提供する。
【００２０】
本発明の実施形態は、再校正が必要かどうか、エラーが生じているかどうかを示すモニタリングを提供して、従来技術によるフロー制御装置を超えるさらに別の利点を提供する。
【００２１】
以下の説明を、添付の図面と併せ参照することによって、本発明及びその利点のさらに十分な理解を得ることができる。これら図中の同じ参照番号は同じ機能を示す。
例えば、本発明は以下の項目を提供する。
（項目１）
フロー制御装置であって、
流入口と、
上記流入口と流体連通している流出口と、
上記流入口と流出口との間にあり上記流入口及び流出口と流体連通している圧力低減エレメントと、
上記圧力低減エレメントの上流に配置され、上記フロー制御装置を流れ通る流体の第一圧力を測定するよう構成された第一圧力センサと、
上記圧力低減エレメントの下流に配置され、上記フロー制御装置を流れ通る流体の第二圧力を測定するよう構成された第二圧力センサと、
上記第一圧力センサ及び第二圧力センサに連結されたコントローラであって、上記コントローラは、
第一作動モードによって動作し、上記第一作動モードにおいては、上記第一圧力と第二圧力との間の較差に基づいてバルブ制御信号を発生させ、
第二作動モードによって動作し、上記第二作動モードにおいては、特定の圧力センサにおいて測定した圧力に基づいて上記バルブ制御信号を発生させ、
所定のパラメータに従って、上記第一作動モードと第二作動モードとの間の切り替えを行う、ように構成された、コントローラと
を含む、装置。
（項目２）
項目１のフロー制御装置であって、上記流入口と上記流出口との間に配置され上記コントローラに連結された、上記バルブ制御信号に反応するバルブをさらに含む、装置。
（項目３）
項目１のフロー制御装置であって、上記第二作動モードにおいて、上記コントローラは、上記上流の圧力センサにおける上記測定圧力に基づいて上記バルブ制御信号発生させる、装置。
（項目４）
項目１のフロー制御装置であって、上記第二作動モードにおいて、上記コントローラは、上記下流の圧力センサにおける上記測定圧力に基づいて上記バルブ制御信号発生させる、装置。
（項目５）
項目１のフロー制御装置であって、上記所定パラメータは圧力較差閾値を含む、装置。
（項目６）
項目５のフロー制御装置であって、上記コントローラは、
上記第一圧力と上記第二圧力との間の上記較差を決定し、
上記較差を上記圧力較差閾値と比較し、
上記第一圧力と上記第二圧力との間の上記較差が上記圧力較差閾値より大きい場合には上記第一作動モードによって動作する、ようにさらに構成されている、装置。
（項目７）
項目５のフロー制御装置であって、上記コントローラは、
上記第一圧力と上記第二圧力との間の上記較差を決定し、
上記較差を上記圧力較差閾値と比較し、
上記第一圧力と上記第二圧力との間の上記較差が上記圧力較差閾値より小さい場合には上記第二作動モードによって動作する、ようにさらに構成されている、装置。
（項目８）
項目５のフロー制御装置であって、上記コントローラは、上記圧力較差閾値を、上記第一圧力と上記第二圧力との間の上記較差と、供給圧力と、バルブ位置とに基づいて計算するようにさらに構成されている、装置。
（項目９）
項目１のフロー制御装置であって、上記コントローラは、
上記第一又は第二センサの変動をモニターし、
上記変動が所定の量よりも大きい場合は、警報を発する、ようにさらに構成されている、装置。
（項目１０）
項目１のフロー制御装置であって、上記コントローラは、
バルブのバルブ位置の変化をモニターし、
バルブ位置の上記変化が所定の量よりも大きい場合には、警報を発する、ようにさらに構成されている、装置。
（項目１１）
コンピュータプログラム製品であって、上記該コンピュータプログラム製品は、少なくとも一つのコンピュータ可読媒体に格納され、少なくとも一つのプロセッサによって、
第一圧力の測定値を受信し、
第二圧力の測定値を受信し、
上記コンピュータ命令が上記第一圧力と上記第二圧力との間の較差に基づいて流量の計算をすることが実行可能である、第一作動モードによって動作し、
上記コンピュータ命令が特定の圧力センサにより測定された圧力に基づいて上記流量の計算をすることが実行可能である、第二作動モードによって動作し、
所定のパラメータに従って、上記第一作動モードと上記第二作動モードとの間で切り替えを行う
ことを実行可能なコンピュータ命令のセットを含む、製品。
（項目１２）
項目１１のコンピュータプログラム製品であって、上記コンピュータ命令のセットが、上記第二作動モードにおいて、下流圧力センサから受信した上記第二圧力の上記測定値に基づいて流量の計算を実行できる、製品。
（項目１３）
項目１１のコンピュータプログラム製品であって、上記コンピュータ命令のセットは、上記第二作動モードにおいて、上流圧力センサからの上記第一圧力の上記測定値に基づいて上記流量の計算を実行できる、製品。
（項目１４）
項目１１のコンピュータプログラム製品であって、上記所定パラメータは圧力較差閾値を含む、製品。
（項目１５）
項目１４のコンピュータプログラム製品であって、上記コンピュータ命令は、
上記第一圧力と上記第二圧力との間の上記較差を決定し、
上記較差を上記圧力較差閾値と比較し、
上記第一圧力と上記第二圧力との間の上記較差が上記圧力較差閾値より大きい場合には、上記第一作動モードによって動作する
ことを実行可能である、製品。
（項目１６）
項目１４のコンピュータプログラム製品であって、上記コンピュータ命令のセットは、
上記第一圧力と上記第二圧力との間の上記較差を決定し、
上記較差を上記圧力較差閾値と比較し、
上記第一圧力と上記第二圧力との間の上記較差が上記圧力較差閾値より小さい場合には、上記第二作動モードによって動作する
ことを実行可能である、製品。
（項目１７）
項目１４のコンピュータプログラム製品であって、上記コンピュータ命令のセットは、上記圧力較差閾値を、上記第一圧力と上記第二圧力との間の上記較差と、供給圧力と、バルブ位置とに基づいて計算することを実行可能である、製品。
（項目１８）
項目１１のコンピュータプログラム製品であって、上記コンピュータ命令のセットは、
圧力センサの変動をモニターし、
上記変動が所定の量よりも大きい場合は、警報を発する
ことをさらに実行可能である、製品。
（項目１９）
項目１１のコンピュータプログラム製品であって、上記コンピュータ命令のセットは、
バルブのバルブ位置の変化をモニターし、
バルブ位置の上記変化が所定の量よりも大きい場合には、警報を発する
ことをさらに実行可能である、製品。
（項目２０）
フローを制御する方法であって、
第一圧力を測定する工程と、
第二圧力を測定する工程と、
第一作動モードにおいて、上記第一圧力と上記第二圧力との間の較差に基づいてバルブ制御信号を発生させる工程と、
第二作動モードにおいて、特定の圧力センサにおいて測定された圧力に基づいて上記バルブ制御信号を発生させる工程と、
所定のパラメータに従って、上記第一作動モードと上記第二作動モードとの間の切り替えを行う工程と
を含む、方法。
（項目２１）
項目２０の方法であって、上記バルブ制御信号に応答してバルブを開閉する工程をさらに含む、方法。
（項目２２）
項目２０の方法であって、上記特定の圧力センサにおいて測定された圧力に基づいてバルブ制御信号を発生させる工程は、上流の圧力センサにおいて測定された圧力に基づいて上記バルブ制御信号を発生させる工程を含む、方法。
（項目２３）
項目２０の方法であって、上記特定の圧力センサにおいて測定された圧力に基づいてバルブ制御信号を発生させる工程は、下流の圧力センサにおいて測定された圧力に基づいて上記バルブ制御信号を発生させる工程を含む、方法。
（項目２４）
項目２０の方法であって、上記所定パラメータが圧力較差閾値を含む、方法。
（項目２５）
項目２４の方法であって、
上記第一圧力と上記第二圧力との間の上記較差を決定する工程と、
上記較差を上記圧力較差閾値と比較する工程と、
上記第一圧力と上記第二圧力との間の上記較差が上記圧力較差閾値より大きい場合には、上記第一作動モードによって動作する工程と
をさらに含む、方法。
（項目２６）
項目２４の方法であって、
上記第一圧力と第二圧力との間の上記較差を決定する工程と、
上記較差を上記圧力較差閾値と比較する工程と、
上記第一圧力と上記第二圧力との間の上記較差が上記圧力較差閾値より小さい場合には、上記第二作動モードによって動作する工程と
をさらに含む、方法。
（項目２７）
項目２４の方法であって、上記圧力較差閾値を、上記第一圧力と上記第二圧力との間の上記較差と、供給圧力と、バルブ位置とに基づいて計算する工程をさらに含む、方法。
（項目２８）
項目２０の方法であって、
上記第二センサの変動をモニタリングする工程と、
上記変動が所定の量よりも大きい場合は、警報を発する工程と
をさらに含む、方法。
（項目２９）
項目２０の方法であって、
バルブ位置の変化についてバルブ位置をモニタリングする工程と、
バルブ位置の上記変化が所定の量よりも大きい場合には、警報を発する工程と
をさらに含む、方法。
（項目３０）
少なくとも一つのコンピュータ可読媒体に格納されたコンピュータ命令のセットを含むコンピュータプログラム製品であって、上記コンピュータ命令のセットは、少なくとも一つのプロセッサによって、
センサから圧力測定値を受信し、
上記圧力測定値の変動をモニタリングし、
上記変動を所定の限度と比較し、
上記変動が上記所定限度より大きい場合には、警報を発する
ことを実行可能である、製品。
（項目３１）
項目３０のコンピュータプログラム製品であって、上記センサは、圧力低減エレメントの下流のセンサである、製品。
（項目３２）
項目３０のコンピュータプログラム製品であって、上記センサは、バルブの下流のセンサである、製品。
（項目３３）
少なくとも一つのコンピュータ可読媒体に格納されたコンピュータ命令のセットを含むコンピュータプログラム製品であって、上記コンピュータ命令のセットは、少なくとも一つのプロセッサによって、
圧力低減エレメントの上流に配置された上流センサから上流圧力を受信し、
上記圧力低減エレメントの下流から下流圧力測定値を受信し、
バルブのバルブ位置をモニターし、
上記測定圧力の間の較差を決定し、
上記測定圧力の間の上記較差、上記バルブ位置、及びバルブ設定能に基づいて、制御設定能を決定する
ことを実行可能である、製品。
（項目３４）
項目３３のコンピュータプログラム製品であって、上記コンピュータ命令のセットは、
上記制御設定能が容認可能かどうかを判定し、
上記制御設定能が容認できない場合は、上記バルブに、上記バルブ位置を、高めの較差を生成することになる新しい位置へ変更させるための信号を発生させ、
新しい上流圧力を受信し、
新しい下流圧力を受信し、
上記新しい上流圧力及び上記新しい下流圧力に基づいて、上記高めの較差を決定し、
上記高めの較差、上記新しいバルブ位置、及び上記バルブ設定能に基づいて、新しい制御設定能を決定する
ことをさらに実行可能である、製品。
（項目３５）
項目３３のコンピュータプログラム製品であって、上記コンピュータ命令のセットは、
上記制御設定能が容認可能かどうかを判定し、
上記制御設定能が容認可能な場合は、上記較差を較差圧力閾値として選定する
ことをさらに実行可能である、製品。
（項目３６）
項目３３のコンピュータプログラム製品であって、上記コンピュータ命令は、引き続き得られる較差と上記較差圧力閾値との比較に基づいて、第一作動モードと第二作動モードとの間での切り替えを行うことをさらに実行可能である、製品。
（項目３７）
項目３３のコンピュータプログラム製品であって、上記コンピュータ命令のセットは、
フルスケール圧力に対する上記較差のパーセントに、上記バルブの開き度合いをパーセントで示す上記バルブ位置を乗じ、これに
上記バルブ設定能を乗じることによって、
上記制御設定能を決定することをさらに実行可能である、製品。
（項目３８）
センサから圧力測定値を受信する工程と、
上記圧力測定値の変動をモニタリングする工程と、
上記変動を所定の限度と比較する工程と、
上記変動が上記所定限度より大きい場合には、警報を発する工程と
を含む、方法。
（項目３９）
項目３８のコンピュータプログラム製品であって、上記センサは、圧力低減エレメントの下流のセンサである、製品。
（項目４０）
項目３８のコンピュータプログラム製品であって、上記センサは、バルブの下流のセンサである、製品。
（項目４１）
コンピュータプログラム製品であって、少なくとも一つのコンピュータ可読媒体に格納され、少なくとも一つのプロセッサによって、
第一圧力の測定値を受信し、
第二圧力の測定値を受信し、
上記コンピュータ命令が上記第一圧力と上記第二圧力との間の較差に基づてバルブ制御信号の発生をすることが実行可能な、第一作動モードによって動作し、
上記コンピュータ命令が特定の圧力センサにより測定された圧力に基づいて上記バルブ制御信号の発生をすることが実行可能な、第二作動モードによって動作し、
所定のパラメータに従って、上記第一作動モードと上記第二作動モードとの間で切り替えを行う
ことを実行可能なコンピュータ命令のセットを含む、製品。
（項目４２）
項目４１のコンピュータプログラム製品であって、上記第二作動モードにおいて、上記コンピュータ命令のセットは、下流の圧力センサから受信した上記第二圧力の上記測定値に基づいて、上記バルブ制御信号を発生させることを実行可能である、製品。
（項目４３）
項目４１のコンピュータプログラム製品であって、上記第二作動モードにおいて、上記コンピュータ命令のセットは、上流の圧力センサから受信した上記第一圧力の上記測定値に基づいて、上記バルブ制御信号を発生させることを実行可能である、製品。
（項目４４）
項目４１のコンピュータプログラム製品であって、上記所定パラメータは、圧力較差閾値を含む、製品。
（項目４５）
項目４４のコンピュータプログラム製品であって、上記コンピュータ命令は、
上記第一圧力と上記第二圧力との間の上記較差を決定し、
上記較差を上記圧力較差閾値と比較し、
上記第一圧力と上記第二圧力との間の上記較差が上記圧力較差閾値より大きい場合には、上記第一作動モードによって動作する
ことを実行可能である、製品。
（項目４６）
項目４４のコンピュータプログラム製品であって、上記コンピュータ命令のセットは、
上記第一圧力と上記第二圧力との間の上記較差を決定し、
上記較差を上記圧力較差閾値と比較し、
上記第一圧力と上記第二圧力との間の上記較差が上記圧力較差閾値より小さい場合には、上記第二作動モードによって動作する
ことを実行可能である、製品。
（項目４７）
項目１３のコンピュータプログラム製品であって、上記コンピュータ命令のセットは、上記圧力較差閾値を、上記第一圧力と上記第二圧力との間の上記較差と、供給圧力と、バルブ位置とに基づいて計算することを実行可能である、製品。
（項目４８）
項目４１のコンピュータプログラム製品であって、上記コンピュータ命令のセットは、
圧力センサの変動をモニターし、
上記変動が所定の量よりも大きい場合は、警報を発する
ことをさらに実行可能である、製品。
（項目４９）
項目４１のコンピュータプログラム製品であって、上記コンピュータ命令のセットは、
バルブのバルブ位置の変化をモニターし、
バルブ位置の上記変化が所定の量よりも大きい場合には、警報を発する
ことをさらに実行可能である、製品。
（項目５０）
フローをモニタリングする方法であって、
第一圧力を測定する工程と、
第二圧力を測定する工程と、
第一作動モードにおいて、上記第一圧力と上記第二圧力との間の較差に基づいて流量を決定する工程と、
第二作動モードにおいて、特定の圧力センサにおいて測定された圧力に基づいて上記流量を決定する工程と、
所定のパラメータに従って、上記第一作動モードと上記第二作動モードとの間の切り替えを行う工程と
を含む、方法。
（項目５１）
項目５０の方法であって、上記特定の圧力センサにおける測定された圧力に基づいて流量を決定する工程は、上流の圧力センサにおいて測定された圧力に基づいて上記流量を決定する工程を含む、方法。
（項目５２）
項目５０の方法であって、上記特定の圧力センサにおける測定された圧力に基づいて流量を決定する工程は、下流の圧力センサにおいて測定された圧力に基づいて上記流量を決定する工程を含む、方法。
（項目５３）
項目５０の方法であって、上記所定パラメータは圧力較差閾値を含む、方法。
（項目５４）
項目５３の方法であって、
上記第一圧力と上記第二圧力との間の上記較差を決定する工程と、
上記較差を上記圧力較差閾値と比較する工程と、
上記第一圧力と上記第二圧力との間の上記較差が上記圧力較差閾値より大きい場合には、上記第一作動モードによって動作する工程と
をさらに含む、方法。
（項目５５）
項目５３の方法であって、
上記第一圧力と上記第二圧力との間の上記較差を決定する工程と、
上記較差を上記圧力較差閾値と比較する工程と、
上記第一圧力と上記第二圧力との間の上記較差が上記圧力較差閾値より小さい場合には、上記第二作動モードによって動作する工程と
をさらに含む、方法。
（項目５６）
フロー制御装置であって、
流入口と、
上記流入口と流体連通している流出口と、
上記フロー制御装置を流れ通る流体の圧力を測定する第一圧力センサと、
上記圧力センサと連結されたコントローラであって、上記コントローラは単一の圧力センサにおいて測定した圧力に基づいてバルブ制御信号を発生させるよう構成され、上記単一の圧力センサは上記第一圧力センサである、コントローラと
を含む、装置。
（項目５７）
項目５６のフロー制御装置であって、上記流入口と上記流出口との間に配置され、上記コントローラに連結された、上記バルブ制御信号に応答するバルブをさらに含む装置。
（項目５８）
項目５７のフロー制御装置であって、上記第一圧力センサは上記バルブの上流に配置されている、装置。
（項目５９）
項目５７のフロー制御装置であって、上記第一圧力センサは上記バルブの下流に配置されている、装置。
（項目６０）
項目５６のフロー制御装置であって、上記コントローラは、
上記第一センサから圧力測定値を受信し、
上記圧力測定値の変動をモニターし、
上記変動を所定の限度と比較し、
上記変動が上記所定限度より大きい場合には、警報を発する
ようにさらに動作可能である、装置。
（項目６１）
項目５６のフロー制御装置であって、上記コントローラは、
バルブのバルブ位置の変化をモニターし、
バルブ位置の上記変化が所定の量よりも大きい場合には、警報を発する
ようにさらに動作可能である、装置。
（項目６２）
フロー制御装置を通るフローを、単一の圧力センサからの測定値に基づいて調節するためのコンピュータプログラム製品であって、上記製品は、少なくとも一つのコンピュータ可読媒体に格納され、少なくとも一つのプロセッサによって、
第一圧力センサからの圧力測定値を受信し、
上記第一圧力センサからの上記圧力測定値と校正パラメータのセットとに基づいて流量を計算し、
上記流量を設定ポイントと比較し、
上記計算された流量と設定ポイントとの間の上記差異に基づいてバルブ制御信号を発生させる
ことを実行可能なコンピュータ命令のセットを含む、製品。
（項目６３）
項目６２のコンピュータプログラム製品であって、上記校正パラメータは、インサイチュ校正パラメータを含む、製品。
（項目６４）
項目６２のコンピュータプログラム製品であって、上記コンピュータ命令のセットは、
圧力測定値の変動をモニターし、
上記変動を所定の限度と比較し、
上記変動が上記所定限度より大きい場合には、警報を発する
ことを実行可能な命令をさらに含む、製品。
（項目６５）
項目６４のコンピュータプログラム製品であって、上記モニターされる圧力測定値は、上記第一センサによって生成される、製品。
（項目６６）
項目６５のコンピュータプログラム製品であって、上記モニターされる圧力測定値は、別の圧力センサによって生成される、製品。
（項目６７）
項目６２のコンピュータプログラム製品であって、上記コンピュータ命令のセットは、
バルブのバルブ位置の変化をモニターし、
バルブ位置の上記変化が所定の量よりも大きい場合には、警報を発する
ことを実行可能な命令をさらに含む、製品。
（項目６８）
フロー制御装置を通るフローを、単一の圧力センサからの測定値に基づいて調節するための方法であって、上記方法は、
第一圧力センサにおいて圧力を測定する工程と、
上記第一圧力センサからの圧力測定値及び校正パラメータのセットに基づいて流量を計算する工程と、
上記流量を設定ポイントと比較する工程と、
上記計算された流量と設定ポイントとの間の上記差異に基づいてバルブ制御信号を発生させる工程と
を含む、方法。
（項目６９）
項目６８の方法であって、インサイチュ校正を実施することによって上記校正パラメータを生成する工程を含む、方法。
（項目７０）
項目６８の方法であって、
圧力測定値の変動をモニタリングする工程と、
上記変動を所定の限度と比較する工程と、
上記変動が上記所定限度より大きい場合には、警報を発する工程と
をさらに含む、方法。
（項目７１）
項目７０の方法であって、上記モニターされる圧力測定値は、上記第一センサによって生成される、方法。
（項目７２）
項目７０の方法であって、上記モニターされる圧力測定値は、別の圧力センサによって生成される、方法。
（項目７３）
項目６８の方法であって、
バルブのバルブ位置の変化をモニタリングする工程と、
バルブ位置の上記変化が所定の量よりも大きい場合には、警報を発する工程と
をさらに含む、方法。
【図面の簡単な説明】
【００２２】
【図１】図１は、本発明の一つの実施形態による、フロー制御装置の概要の図示である。
【図２】図２は、フロー制御装置の一つの実施形態の図示である。
【図３】図３は、コントローラの一つの実施形態の図示である。
【図４】図４は、フロー制御の方法の一つの実施形態の流れ図である。
【図５】図５は、圧力センサをモニタリングし下流のシステムが変化しているかどうかを判断する一つの方法の流れ図である。
【図６】図６は、本発明の別の実施形態による、フロー制御装置の概要の図示である。
【図７】図７は、単一の圧力センサを用いたフロー制御装置の図示である。
【図８】図８は、単一の圧力センサを用いたフロー制御装置の別の実施形態の図示である。及び
【図９】図９は、単一の圧力センサからの測定値を使った制御の流れの一つの実施形態を例示した流れ図である。
【発明を実施するための形態】
【００２３】
本発明の好適な実施形態が図面に例示されており、さまざまな図面中の同じ部分及び相当する部分を参照するのに同じ数字が使われる。
【００２４】
本発明の実施形態は、従来技術のフロー制御システム及び方法に関わる問題を軽減又は解消することのできるフロー・コントローラを提供する。本発明の一つの実施形態は、上流及び下流圧力センサを有するフロー・コントローラを含む。一つの作動モードにおいて、フロー・コントローラは、上流及び下流センサからの圧力測定値の間の圧力較差に基づいて流量を制御することができる。別の作動モードにおいて、圧力コントローラは、下流圧力センサのような、特定の圧力センサが感知した圧力に基づいて流量を制御することができる。フロー・コントローラに、これら作動モード間での切り替えを自動的に行うロジックを持たせることができる。第一の作動モードをより高水準の流量に関連付けることができ、第二の作動モードをより低水準の流量に関連付けることができる。
【００２５】
図１は、本発明の一つの実施形態によるフロー制御装置３０の図示である。フロー制御装置３０には、フローを受入れる流入口３２と、フロー・システムの他の構成要素にフローを導く流出口３４と、圧力低減エレメント３６（例、開口部のあるプレート、小口径管、絞り部位又は他の圧力低減エレメント）と、圧力低減エレメント３６の上流にあり上流の圧力を測定するよう構成された圧力センサ３８（「上流圧力センサ」という）と、圧力低減エレメント３６の下流にあり下流の圧力を測定するよう構成された圧力センサ４０（「下流圧力センサ」という）と、プロセッサ、メモリ、流体の流量算定及び／又はバルブ制御信号発生のためのソフトウエア命令を具えることができるコントローラ４２と、バルブ制御信号に反応して流体フローを調節するバルブ４４（例、スロットル・ゲートバルブ、ポペットバルブ、ちょう型バルブ、油圧駆動バルブ、又は従来から知られる他のバルブ）とを含めることができる。
【００２６】
上流圧力センサ３８及び下流圧力センサ４０は、キャパシタンス型、ピエゾ抵抗型、トランスジューサ型、又は、従来から知られる他の型の圧力センサとすることができる。上流圧力センサ３８及び下流圧力センサ４０の、フロー制御装置３０を流れる流体に曝される部分については、流体に対して化学的に不活性にすることができる。コントローラ４２については、例えば電気接続を介して、上流圧力センサ３８、下流圧力センサ４０及びバルブ４４に連結することができる。バルブについては、マイクロコントローラのような構成要素を持つバルブ駆動装置を含ませて、バルブ制御信号を処理し、バルブ制御信号に反応してバルブ４４を開閉させることができる。
【００２７】
流体（ガス又は液体）は、流入口３２からフロー制御装置３０に入り、バルブ４４と圧力低減エレメント３６を通り、流出口３４からフロー制御装置３０を出ることができる。上流圧力センサ３８及び下流圧力センサ４０は、上流圧力信号４６及び下流圧力信号４８信号を発生させることができ、この信号を、それぞれ上流圧力センサ３８及び下流圧力センサ４０における圧力測定値を表すデジタル信号とすることもアナログ信号とすることもできる。
【００２８】
コントローラ４２は、例えばコンピュータ可読の媒体に格納されたソフトウエア命令を使って、バルブ制御信号５０を発生させ、バルブ４４開閉させ、上流圧力センサ３８及び／又は下流圧力センサ４０が測定した圧力に基づいて必要な流量を実現することができる。本発明の一つの実施形態によれば、コントローラ４２は、上流圧力測定値と下流圧力測定値との間の較差を判定することができる。較差を、上流圧力センサ３８と下流圧力センサ４０との圧力測定値間の差の任意の表現とすることができる。例えば、較差をバルブ圧力（例、１００ｐａ）又は特定の電圧を持つ信号（例、１００ｍｖ）、あるいは圧力測定値の間の差を表す他の任意のフォーマットで表すことができる。コントローラ４２は、任意の制御スキーム（例、較差を、比例積分（ＰＩ）制御スキーム、比例積分微分（ＰＩＤ）制御スキーム、又は従来から知られる又は開発されている他の任意の制御スキーム）によって、較差を設定ポイントと比較し、バルブ制御信号を発生させることができる。制御信号５０に基づいて、バルブ４４は開閉して流量を調節することができる。
【００２９】
高い流量域では、上流圧力センサ３８及び下流圧力センサ４０で測定された圧力の較差に基づいて流量を計算すれば許容可能な精度が得られる。しかしながら、流量が低減するにつれ、上流圧力センサ３８及び下流圧力センサ４０の信号対ノイズ比が低くなり、測定された圧力の較差に基づいて精度のある流量計算を行うことが困難になってくる。すなわち、低い流量においてはノイズによって圧力較差が判別できなくなる。本発明の一つの実施形態によれば、この問題に対処するために、コントローラ４２は、単一のフロー・センサが測定する圧力に基づく流量計算に切り替えることができる。
【００３０】
コントローラ４２は、特定のセンサが感知した圧力に基づき、よく知られた流体力学方程式、及び／又は校正において設定された、センサ読み取りと流量との経験的対比に従って流量を計算することができる。本発明の一つの実施形態によれば、フロー制御装置３０を据付時に校正し、フロー制御装置３０が据付られたシステムにおける、特定のセンサが感知した圧力と流量との間の相関を算定することができる。これには、流量計算に影響を与える、フロー制御装置３０の下流の構成要素がもたらす圧力損失を補償してフロー制御装置３０を校正することを含めることができる。この校正に基づき、コントローラ４２は、特定のセンサ（例、上流圧力センサ３８又は下流圧力センサ４０）からの圧力信号に反応して、バルブ制御信号５０を発生させ、流体の流量を調節することができる。コントローラ４２が、特定のセンサの測定値に基づき制御信号を発生させている間、他方のセンサは「オフ」状態にとどまるか、又は圧力測定値をコントローラ４２に送信し続けることができることに注目すべきである。
【００３１】
較差に基づく流量の計算と、特定圧力センサが測定した圧力に基づく流量の計算との間の切り替えは、任意に定めたポイントで行うことができる。例として、以下に限らないが、コントローラ４２は、較差が十分小さくなるか、特定センサの測定圧力が規定レベルより下に低下するか、あるいは、いずれかの又は双方のセンサの変動が限度を超え、単一センサの方がより精度のよいフロー状態を提示できるときに、コントローラ４２は切り替えを行うことができる。
【００３２】
このように、本発明の一つの実施形態に、流入口、流出口、流入口及び流出口と流体連通している圧力低減エレメント、上流圧力センサ、下流圧力センサ、及びコントローラを包含するフロー制御装置を含めることができる。上流圧力センサは上流の圧力を測定することができ、下流圧力センサは下流の圧力を測定することができる。流量の第一範囲にわたって、コントローラは、測定された圧力の較差に基づいてバルブ制御信号を発生させることができる。流量の第二範囲にわたって、コントローラは、上流もしくは下流圧力センサが測定した圧力に基づいてバルブ制御信号を発生させることができる。フロー制御装置に、バルブ制御信号に反応して開閉することが可能なバルブをさらに含めることができる。コントローラは、所定のポイントにおいて、第一作動モード（すなわち、較差に基づく制御信号）と第二作動モード（特定のセンサによる圧力に基づく制御信号）との間での自動的切り替えを行うことができる。
【００３３】
図２はフロー制御装置３０の一つの実施形態の図示である。フロー制御装置３０に、フローを受入れるための流入口３２、フローをフロー・システムの他の構成要素に導くための流出口３４、流体を流入口３２から流出口３４まで導くための流路３５、圧力低減エレメント３６、上流圧力センサ３８、下流圧力センサ４０、バルブ制御信号を発生させるコントローラ４２、及びバルブ制御信号に反応して流体フローを調節するバルブ４４を含めることができる。
【００３４】
コントローラ４２は、それぞれのセンサで測定された圧力を表す信号を、上流圧力センサ３８及び下流圧力センサ４０センサから受信することができる。信号は、測定圧力を電圧レベルによって表すことのできるアナログ又はデジタル信号とすることができる。例えば、測定圧力を表すビット、又は従来から知られた他の任意の方式で表したものとすることができる。コントローラ４２は、測定された圧力の間の較差を、例えば、差分信号を発生させることによって、及び／又は圧力差を計算することによって判定することができる。コントローラ４２は、較差に基づいて、あるいは上流及び／又は下流圧力センサから受信した信号に基づいてバルブ制御信号を発生させることができる。バルブ４４は受信したバルブ制御信号に反応して開閉することができる。
【００３５】
図３は、コントローラ４２の一つの実施形態の図示である。コントローラ４２には、上流圧力センサ及び下流圧力センサから信号を受信し受信した信号をデジタル・フォーマットに変換するためのアナログ・デジタル（Ａ／Ｄ）コンバータ５２を含めることができる。プロセッサ５４（例、ＣＰＵ、ＡＳＩＣ、又は従来から知られた他のプロセッサ）は、Ａ／Ｄコンバータ５２から、測定圧力を表すデジタル値を受信し、較差を計算することができる。較差、もしくは上流圧力センサ又は下流圧力センサどちらかにより測定された圧力に基づいて、プロセッサ５４は、バルブが、流体フローを調節するために、どの程度開き又は閉じるべきかを表すデジタル制御信号を発生させることができる。Ａ／Ｄコンバータ５２は、デジタル値をアナログのバルブ制御信号に変換し、アナログのバルブ制御信号をバルブに送信することができる。
【００３６】
プロセッサ５４は、ソフトウエアプログラムを実行することによってデジタル制御信号を発生させることができ、プログラムには、プロセッサ５４がアクセス可能なコンピュータ可読の記憶装置５８（例、ＥＥＰＲＯＭ、ＲＡＭ、ＲＯＭ、フラッシュメモリ、磁気記憶装置、光記憶装置、又は、従来から知られた他のコンピュータ可読記憶装置）の中に、コンピュータ命令５６のセットとして格納された制御アルゴリズムを含めることができる。一つの作動モードにおいて、制御アルゴリズムは、オペレータ・パラメータ、校正パラメータ及び／又はメーカー・パラメータを使い、測定された圧力の間の較差に基づいて、デジタル制御信号を計算することができ、別の作動モードにおいては、制御アルゴリズムは、上流もしくは下流センサが測定した圧力を使ってデジタル制御信号を計算することができる。制御アルゴリズムは、所定のポイントにおいて、第一モードと第二モードとの間を自動的に切り替えることができる。例えば、制御アルゴリズムは、較差が、所定のレベルを下回った場合に、第一モードから第二モードへ切り替えることができる。プロセッサ５４は、各サイクルごとに、又は所定のスケジュールで、第一作動モードと第二作動モードとの間の切り替えをするかどうかを決定することができる。
【００３７】
制御アルゴリズムは、以下に限らないが、ＰＩＤ、オフセット付き修正型ＰＩＤ又は従来から知られた任意の制御スキームなどの、従来技術の任意の制御スキームを使って、特定の動作モードに対するデジタル制御信号を計算することができる。基本作動においてはエラー信号が生成される。そこで特定のバルブに対するエラー信号は修正される。エラーを修正された信号は、Ａ／Ｄコンバータ５２によってデジタル・フォーマットからアナログ信号に変換され、得られたアナログ信号は、制御バルブを新たな位置に駆動する電圧・電流コンバータに送信される。
【００３８】
コントローラ４２には、追加の入力／出力機能を含めることができる。例えば、コントローラ４２に、シリアル・インタフェースを含めて、コンピュータ命令５６の更新といった管理機能に対応することができる。さらに、コントローラ４２に、ネットワーク・イン
タフェースを含めて、他のフロー制御装置、管理用コンピュータ、又はネットワークを介して交信可能な他の装置と交信させることができる。
【００３９】
コンピュータ命令によって、さまざまなやり方で制御アルゴリズムを実行することができる。例えば、制御信号を、計算された値（例、圧力計算値、圧力較差値、又は流量計算値）と設定ポイントとの比較に基づくものとすることができる。別の例として、コントローラは、測定された圧力の間の較差をデジタルに計算するのではなく、アナログ加算器を使い差分信号を発生させて測定圧力の間の較差を計算することができる。この場合、第一作動モードにおいて、制御信号を、較差信号と設定ポイントとの比較に基づくものとすることができる。第二作動モードにおいて、コントローラは、計算された圧力値でなく、圧力信号を設定ポイントと比較することができる。
【００４０】
図４は、本発明の一つの実施形態による、フロー制御の方法を例示した流れ図である。コンピュータ可読の媒体に格納されたコンピュータ命令のセット（例、ソフトウエアプログラム）を実行する一つ以上のプロセッサを持つコントローラによって、図４の方法を実行することができる。コントローラは、制御信号を発生させる際に、圧力較差閾値６０、プリセット・フロー校正パラメータ６２、インサイチュ・フロー校正パラメータ６４、及び設定ポイント６６などの、いくつかの入力パラメータを使うことができ、測定圧力の間の較差、又は特定センサの圧力に基づいて流量を計算することができる。これら入力パラメータについては、コンピュータ可読媒体（例、ＲＡＭ、ＲＯＭ、磁気記憶素子、又は、従来から知られた他のコンピュータ可読媒体）に格納することができる。
【００４１】
圧力較差閾値６０を使って、コントローラが、感知された圧力の間の較差と特定の感知圧力に基づいた制御信号発生との間の切り替えをするタイミングを判定することができる。本発明の一つの実施形態によれば、下流の圧力、較差圧力、供給圧力、及びバルブ位置に基づいて、圧力較差閾値６０を計算することができる。圧力較差閾値６０を決定するに際し、較差圧力がフロー制御装置のフルスケール（すなわち供給圧力）のおよそ１０％に達するまで、流体をフロー制御装置に流通させることができる。例えば、供給圧力が１００ｐｓｉの場合、コントローラは、１０ｐｓｉの較差圧力に達するまでバルブを調整することができる。この点において、コントローラは下流の圧力とバルブ位置とを測定することができる。下流の圧力は、システムの「負荷」を表すものであり、バルブ位置は、供給圧力の指標及びバルブの残りの有効範囲を示すものである。
【００４２】
前記のバルブについて、フロー制御装置の制御設定能を次のように算定することができる
制御設定能＝（ｄＰ％／（バルブ位置％））＊バルブ設定能（ｐｓｉ／ステップ）  ［式１］
ｄＰ％＝フロー制御装置への供給圧力に対する％で表した較差圧力
バルブ位置％＝バルブの開き度合いのパーセント
バルブ設定能＝特定のバルブの設定能、通常バルブ製造者が決定する。
【００４３】
［式１］によって算定された制御設定能が所望の制御設定能に比較して不十分な場合、すなわち傾斜が大きすぎる場合、コントローラは、バルブが、高めの圧力較差を実現するように調整することができる。［式１］によって与えられた制御設定能が十分であると判断される場合、対応する較差圧力を、圧力較差閾値６０として選定することができる。このポイントは、センサの信号対ノイズ比により正確な圧力較差の読み取りが妨害されるポイントを表す代用のポイントとしての役割をする。本発明の一つの実施形態によれば、コントローラは、較差圧力閾値６０を自動的に算定することができる。本発明の他の実施形態において、較差圧力閾値６０を他のスキームによって決定でき、又は任意に決定できることに注目すべきである。
【００４４】
インサイチュ・フロー校正パラメータ６４には、フロー・システムへのフロー制御装置の据付けに基づいて特定のフロー制御装置に対して計算されたパラメータを含めることができる。インサイチュ・フロー校正パラメータは、フロー制御装置より下流の装置がフロー制御装置によって感知される圧力に影響を与えるという事実を反映したものである。これは、圧力較差に基づいて計算された流量にはほとんど影響しないことが多いが、特定の圧力センサから計算された流量には大きな影響を与えかねない。従って、フロー制御装置を据付後に再校正して、下流装置の影響を補償したインサイチュ・フロー校正パラメータ６４を設定することができる。現場での校正については、例えば、システム固有の値を手動入力して、あるいは、自動化されたソフトウエア制御の装置のルーチンによって実施することができる。通常、コントローラは、低流量においては、特定センサの圧力に基づいて流量を算定することになるので、本発明の一つの実施形態において、校正パラメータ６４をフロー制御装置を通る流体の層流に基づいて設定することができる。流量と層流とが対応している限りにおいて、流体粘度及び下流での圧力損失を補償するには、インサイチュ・フロー校正パラメータ６４として使うオフセット値が必要なだけである。
【００４５】
プリセット・フロー校正パラメータ６２には、ガスの種類に基づく流量の計算、フロー制御装置セットアップに使われるパラメータ又は他のパラメータを含めることができる。従来から知られる任意の校正技法に従って、プリセット・フロー校正パラメータ６２を設定することができる。設定ポイント６６は、所望の流量を表す。計算された流量を設定ポイント６６と比較し、どの程度バルブを開閉するかを決定することができる。設定ポイント６６については、例えば、遠隔のコンピュータ又は操作者によって、あるいは、従来から知られた任意のやり方で、自動的に更新することができる。
【００４６】
ステップ７０において、コントローラは、上流及び下流の圧力センサから圧力測定値を受信することができ、ステップ７２において圧力較差を計算することができる。ステップ７４において、コントローラは計算された圧力較差を圧力較差閾値６０と比較することができる。計算された圧力較差が圧力較差閾値６０より大きい場合、コントロールは７６に移ることができ、そうでない場合には、コントロールは７８に移ることができる。
【００４７】
ステップ７６において、コントローラは、プリセット・フロー校正パラメータ６２を使って、測定された圧力の間の較差に基づき流量を計算することができる。測定圧力の間の較差に基づき流量を計算するための従来から知られる任意のスキームに従って上記の計算を実施することができる。他方、ステップ７８において、コントローラはインサイチュ・フロー校正パラメータ６４を使って、流量を算定することができる。測定された圧力を（例えば、コントローラの記憶装置、又はコントローラがアクセス可能なコンピュータ可読媒体に格納された）流量校正カーブと比較するなど、単一の圧力に基づき流量を計算するための従来から知られる任意のスキームに従って上記の計算を実施することができる。
【００４８】
ステップ８０において、コントローラは、計算された流量を設定ポイントと比較することができる。流量が設定ポイントと等しくない場合は、ステップ８２において、コントローラは特定センサからの圧力（例、下流センサからの測定圧力）に基づいてエラー・ゲインを計算することができる。流量が逆に設定ポイントと等しい場合は、コントローラは測定された圧力の間の較差に基づいてエラー・ゲインを計算することができる（ステップ８４）。ステップ８６において、コントローラは、エラー・ゲインをアナログのバルブ制御信号に変換し、バルブ制御信号をバルブに送信することができる。ステップ７０−８４を繰り返すことができる。
【００４９】
ステップ７４においてコントローラが、流量の計算を、測定圧力の間の較差に基づいて行うか、あるいは特定センサの圧力に基づいて行うかを判定していることに注目すべきである。流量を計算する毎に、この判定を行うことができる。本発明の別の実施形態では、この判定を、所定のスケジュール（例、３０ミリ秒毎）に従って実施することができる。本発明のこの実施形態において、コントローラは、あらかじめ設定した時間の間、特定の作動モードに従って（例、ステップ７６又は７８に従って）流量を計算してから、他の作動モードに切り替えるべきかどうかを判定することができる。さらに、質量流量計によってステップ７０−７８を実施して流量を判定することができる。この場合、圧力較差閾値６０（又は他のプリセット・パラメータ）を任意に決定することができる。
【００５０】
図４に関連して説明したように、据付け時にフロー制御装置を校正し、下流の構成要素に起因する圧力低下を補償することによって、単一センサの圧力読み取り値に基づき流量を計算することができる。下流の構成要素が変われば、必要なオフセット値も変わり得る。このことは、新しい配管が据付けられた場合、フロー制御装置が移動された場合、下流のフィルタが制限された場合、処理過程における緩んだ配管のシフト、又はセンサ読み取り値に影響を与える可能性のある他の何らかの出来事が生じた場合に起こり得る。
【００５１】
本発明の一つの実施形態によれば、コントローラがアクセス可能なコンピュータ可読媒体中に格納されたコンピュータ命令を使っているコントローラは、センサの圧力測定値が望ましい範囲を超えて変動しないことを確実にするため、上流及び下流のセンサの一つ又は双方をモニターすることができる。例えば、処理過程において、上流圧力センサは．７５ｐｓｉを測定し下流圧力センサは．２５ｐｓｉを測定している場合、下流センサによる制御を行いながら、下流センサの読み取りが＋／−．０５ｐｓｉ限度（．４５から．５５の較差）を外れた場合に警報を出すように、コントローラを構成することができる。圧力センサの変動に基づく警報によって、システムが変化しフロー制御装置の再校正が必要になったこと、又はフロー制御装置が適切に機能していないことを表示することができる。もしコントローラが変動をモニターしていなかったとすれば、下流センサ読み取り値は．５ｐｓｉに増大し（コントローラから後方のシステムの．２５ｐｓｉの圧力増加を示すことになる）、実際流量の低減を変更（例、計算された値の５０％）することになることもあり得る。
【００５２】
図５は、モニタリング工程の一つの実施形態を例示した流れ図である。ステップ９０において、コントローラは、センサ（例、図１の下流センサ）からの圧力測定値を受信することができる。ステップ９２において、コントローラは、現在の圧力読み取り値を一つ以上の従前の読み取り値と比較して、圧力センサの変動を判定することができる。変動が、ステップ９３の判定においてプリセット範囲から外れた場合には、ステップ９４において、コントローラは警報を発することができる。警報を、ｅメール通知、警報音、視覚警報、又は、従来から知られた他の任意のエラー状態通知とすることができる。オプションとしてステップ９０−９４を繰り返すことができる。図５のモニタリング工程を、コンピュータ命令の実行可能な一切のフロー制御装置において、一組のコンピュータ命令として実施することができ、これは、図１−４に関連して説明したような多重モードのフロー制御を具えたフロー制御装置に限定されない。
【００５３】
図６は、フロー制御装置１００の別の実施形態の図示である。フロー制御装置１００に、フローを受入れる流入口１０２、フロー・システムの他の構成要素にフローを導く流出口１０４、圧力低減エレメント１０６（例、開口部のあるプレート、小口径管、絞り部位又は他の圧力低減エレメント）、上流の圧力を測定する、圧力低減エレメント１０６上流の圧力センサ１０８（「上流圧力センサ」という）、下流の圧力を測定する、圧力低減エレメント１０６の下流の圧力センサ１１０（「下流圧力センサ」という）、バルブ制御信号を発生させるコントローラ１１２、及び、バルブ制御信号に反応して流体フローを調節するバルブ１１４（例、スロットル・ゲートバルブ、ポペットバルブ、ちょう型バルブ、油圧駆動バルブ、又は従来から知られる他のバルブ）を含めることができる。
【００５４】
上流圧力センサ１０８及び下流圧力センサ１１０を、キャパシタンス型、ピエゾ抵抗型、トランスジューサ型、又は、従来から知られる他の型の圧力センサとすることができる。コントローラ１１２を、例えば電気接続を介して、上流圧力センサ１０８、下流圧力センサ１１０、及びバルブ１１４に連結することができる。簡明化のため図示していないが、コントローラ１１２、上流圧力センサ１０８、下流圧力センサ１１０及びバルブ１１４の間に仲介ロジックを置くことができる。バルブは１１４は、マイクロコントローラのような校正要素をさらに含め、バルブ制御信号を処理し、バルブ制御信号に反応してバルブを開閉させる。フロー制御装置１００は、流体はバルブを流れる前に圧力低減エレメントを流通することを除けば、図１のフロー制御装置３０と同様に機能する。
【００５５】
図６の実施形態において、下流圧力センサ１１０がバルブ１１４の上流側にあるので下流圧力センサ１１０の圧力は、バルブ１１４の変化によって変動する可能性があることに注目すべきである。従って、下流のシステムが変化し再校正が必要かどうかを判定するために、第三のセンサをバルブ１１４の下流に追加することができる。図５に関連して説明したように、コントローラは、第三センサにおける圧力の変動をモニターすることができ、変動が大きすぎる場合には、警報を発することができる。別の実施形態において、バルブ位置をモニターすることができる。バルブ位置が所定量よりも大きく変化すれば、コントローラは警報を発することができる。
【００５６】
図７は、本発明の一つの実施形態による、フロー制御装置７００の図示である。フロー制御装置７００に、フローを受入れる流入口７０２、フロー・システムの他の構成要素にフローを導く流出口７０４、圧力センサ７０８、コントローラ７１２（これには、プロセッサ、メモリ、及び流量を判定しバルブ制御信号を発生させるためのソフトウエア命令を含めることができる）、バルブ制御信号に反応して流体フローを調節するバルブ７１４（例、スロットル・ゲートバルブ、ポペットバルブ、ちょう型バルブ、油圧駆動バルブ、又は従来から知られる他のバルブ）を含めることができる。
【００５７】
圧力センサ７０８を、キャパシタンス型、ピエゾ抵抗型、トランスジューサ型、又は、従来から知られる他の型の圧力センサとすることができる。上流圧力センサ７０８の、フロー制御装置７００を流れる流体に曝される部分を、流体に対して化学的に不活性にすることができる。コントローラ７１２を、例えば電気接続を介して、圧力センサ７０８及びバルブ７１４に連結することができる。バルブに、マイクロコントローラのような構成要素を持つバルブ駆動装置を含めて、バルブ制御信号を処理し、バルブ制御信号に反応してバルブ７１４を開閉させることができる。
【００５８】
流体（ガス又は液体）は、流入口７０２からフロー制御装置７００に入り、バルブ７０４を通り、流出口７０４からフロー制御装置７００を抜け出ることができる。圧力センサ７０８は、圧力信号７１６信号を発生させることができ、この信号を、圧力センサ７０８における圧力測定値を表す、デジタル信号とすることもアナログ信号とすることもできる。
【００５９】
コントローラ７１２は、例えばコンピュータ可読の媒体に格納されたソフトウエア命令を使って、バルブ制御信号７２０を発生させ、バルブ７１４開閉させ、圧力センサ７０８が測定した圧力の基づいて所望の流量を実現することができる。一つの実施形態によれば、コントローラ７０２は、単一のフロー・センサが測定した圧力に基づいて流量を計算することができる。
【００６０】
コントローラ７０２は、特定のセンサが感知した圧力に基づき、よく知られた流体力学方程式、及び／又は校正において設定された、センサ読み取りと流量との経験的対比に従って流量を計算することができる。本発明の一つの実施形態によれば、フロー制御装置７００を据付け時に校正して、フロー制御装置７００が据付けられたシステムにおける、センサ７０８が感知した圧力と流量との間の相関を算定させることができる。この校正に、流量計算に影響のある、フロー制御装置７００の下流の構成要素がもたらす圧力損失を補償してフロー制御装置７００を校正することを含めることができる。この校正に基づき、コントローラ７０２は、特定のセンサ（例、センサ７０８）からの圧力信号に反応して、バルブ制御信号７２０を発生させ、流体の流量を調節することができる。
【００６１】
図８は、フロー制御装置８００の別の実施形態の図示である。フロー制御装置８００に、フローを受入れる流入口８０２、フロー・システムの他の構成要素にフローを導く流出口８０４、圧力感知のための圧力センサ８１０、バルブ制御信号を発生させるコントローラ８１２、バルブ制御信号に反応して流体フローを調節するバルブ８１４（例、スロットル・ゲートバルブ、ポペットバルブ、ちょう型バルブ、油圧駆動バルブ、又は従来から知られる他のバルブ）を含めることができる。
【００６２】
圧力センサ８１０を、キャパシタンス型、ピエゾ抵抗型、トランスジューサ型、又は、従来から知られる他の型の圧力センサとすることができる。コントローラ８１２を、例えば電気接続を介して、圧力センサ８１０及びバルブ８１４に連結することができる。簡明化のため図示していないが、コントローラ８１２、圧力センサ８１０とバルブ８１４との間に介在ロジックを置くことができる。バルブ８１４に、マイクロコントローラのような構成要素をさらに含めて、バルブ制御信号を処理し、バルブ制御信号に反応してバルブを開閉させることができる。流体制御装置８００は、圧力センサがバルブの下流側に配置されていることを除けば、図７の流体制御装置７００と同様である。
【００６３】
図８の実施形態において、圧力センサ８１０がバルブ８１４の下流側にあるので下流圧力センサ８１０における圧力は、バルブ８１４の変化によって変動する可能性があることに注目すべきである。従って、下流のシステムが変化し再校正が必要かどうかを判定するために、第三のセンサをバルブ８１４の下流に追加することができる。図５に関連して説明したように、コントローラは、追加センサにおける圧力の変動をモニターすることができ、変動が大きすぎる場合には、警報を発することができる。別の実施形態において、バルブ位置をモニターすることができる。バルブ位置が所定量よりも大きく変化すれば、コントローラは警報を発することができる。
【００６４】
図９は、単一センサを使ったフロー制御のための方法の一つの実施形態を例示した流れ図である。コンピュータ可読の媒体に格納されたコンピュータ命令のセット（例ソフトウエアプログラム）を実行する一つ以上のプロセッサを持つコントローラによって、図９の方法を実行することができる。コントローラは、制御信号を発生させる際に、インサイチュ・フロー校正パラメータ９０４など、いくつかの入力パラメータを使うことができる。これら入力パラメータを、コンピュータ可読媒体（例、ＲＡＭ、ＲＯＭ、磁気記憶装置、又は、従来から知られた他のコンピュータ可読記憶装置）に格納することができる。
【００６５】
インサイチュ・フロー校正パラメータ９０４に、フロー・システムへのフロー制御装置の据付けに基づいて、特定のフロー制御装置に対して計算されたパラメータを含めることができる。インサイチュ・フロー校正パラメータは、フロー制御装置より下流の装置がフロー制御装置が感知する圧力に影響を与えるという事実を反映したものである。これは、圧力較差に基づいて計算された流量にはほとんど影響しないことが多いが、特定の圧力センサから計算された流量には大きな影響を与えかねない。従って、フロー制御装置を据付後に再校正して、下流装置を補償したインサイチュ・フロー校正パラメータ９０４を設定することができる。現場での校正を、例えば、システム固有の値を手動入力して、あるいは、自動化されたソフトウエア制御の装置のルーチンによって実施することができる。通常、コントローラは、低流量においては、特定センサの圧力に基づいて流量を算定することになるので、本発明の一つの実施形態において、パラメータ９０４を、フロー制御装置を通る流体の層流に基づいて設定することができる。流量と層流とが対応している限りにおいて、流体粘度及び下流での圧力損失を補償するに、インサイチュ・フロー校正パラメータ９０４として使用するオフセット値が必要なだけである。
【００６６】
ステップ９１０において、コントローラは、圧力センサから圧力測定値を受信することができる。ステップ９１２において、コントローラは、インサイチュ・フロー校正パラメータ９０４を使い、流量を算定する。測定された圧力を（例えば、コントローラの記憶装置、又はコントローラがアクセス可能なコンピュータ可読媒体に格納された）流量校正カーブと比較するなど、単一の圧力に基づき流量を計算するための、従来から知られる任意のスキームに従ってこれを実施することができる。
【００６７】
ステップ９１４において、コントローラは計算された流量を設定ポイントと比較することができる。流量が設定ポイントと等しくない場合は、ステップ９１６において、コントローラは特定センサからの圧力に基づいてエラー・ゲインを計算することができる。ステップ９１８において、コントローラは、エラー・ゲインをアナログのバルブ制御信号に変換し、バルブ制御信号をバルブに送信することができる。図９のステップを、必要又は所望に応じ、任意に繰り返すことができる。さらに、ＰＩ制御ルーチン、ＰＩＤ制御ルーチン、又は他の制御ルーチンに基づいて制御を行えることに注目すべきである。
【００６８】
このように、単一の圧力センサを具えたフロー制御装置は、複数のセンサを有するフロー制御装置が、単一のセンサを使ってフロー制御する作動モードによって動作しているのと同様なやり方でフローを制御することができる。また、単一圧力センサのフロー・コントローラに、単一センサ（又は他のセンサ）の圧力測定値の変動、又はバルブ位置の変動をモニタリングする機能を持たせ、下流圧力の変化を報知できる警報を発することができる。
【００６９】
前記で説明したように、据付け時にフロー制御装置を校正し、下流の構成要素に起因する圧力低下を補償することによって、単一センサからの圧力読み取り値に基づき流量を計算することができる。下流の構成要素が変われば、必要なオフセット値も変わり得る。このことは、新しい配管が据え付けられた場合、フロー制御装置が移動された場合、下流のフィルタが制限された場合、処理過程における緩んだ配管のシフト、又はセンサ読み取り値に影響を与える可能性のある他の何らかの出来事が生じた場合に起こり得る。下流の構成要素が変化した場合には、フロー制御装置を再校正して全体的なシステムの変化を補償することができる（すなわち、インサイチュ校正パラメータを更新することができる）。
【００７０】
単一センサを使った制御の再現性は、下流での圧力低下に依存し、一般に、下流の圧力低下が大きくなるほど再現性がは高くなることに注目すべきである。ある現場構成において、下流での圧力低下が、適切な再現性を得るために不十分な場合、コイルなど追加の配管を圧力センサの下流に追設して、下流での圧力低下を増やして再現性を高めることができる。
【００７１】
特定の実施形態を参照しながら本発明を説明してきたが、これら実施形態は例示であって、本発明の範囲はこれらの実施形態には限定されないことを理解すべきである。記載した実施形態に対し、多くの変形、変更、追加及び改良が可能である。これらの変形、変更、追加及び改良は、以降の請求内容に詳記するように、本発明の範囲に含まれると意図されている。
【図１】
2010176707.tif 000003
【図２】
2010176707.tif 000004
【図３】
2010176707.tif 000005
【図４】
2010176707.tif 000006
【図５】
2010176707.tif 000007
【図６】
2010176707.tif 000008
【図７】
2010176707.tif 000009
【図８】
2010176707.tif 000010
【図９】
2010176707.tif 000011